(57)【要約】      （修正有）【課題】防鳥ネットを簡単な操作で確実に係着でき、プラスチック廃材が発生せず、長期に亘って強固な取付状態を維持でき、防鳥ネットの交換も容易な防鳥ネット取付装置を提供する。【解決手段】略板状のベース部材１と略コ字枠状のクリップ部材２とからなる。ベース部材１には両側面に爪掛止部１２を備えたネット受け部１１が突設され、クリップ部材２の両脚片部２１，２１には内向きに対向突出する掛止爪２２と外側へ張出する指掛け片２３が突設されている。防鳥ネット３を取り付ける際、取付基体Ｍに固着したベース部材１のネット受け部１１上に防鳥ネット３の端縁部３ａを接当し、ネット受け部１１にクリップ部材２を外嵌し、各掛止爪２２を爪掛止部１２に掛止させることにより、ネット受け部１１とクリップ部材２のネット押さえ部２０との間で防鳥ネット３の端縁部３ａを挟んで保持する。【選択図】図７
2013247866.tif 000002
【特許請求の範囲】
【請求項１】
取付基体に接着又はねじ止めする略板状の合成樹脂製のベース部材と、該ベース部材の上面側に突設したネット受け部に嵌着させる合成樹脂製のクリップ部材とからなり、
前記ベース部材のネット受け部は、頂面をネット接当面として、対向する両側面に爪掛止部を備え、
前記クリップ部材は、ネット押さえ部の両側端から一対の脚片部が延設され、両脚片部に互いに内向きに対向突出する掛止爪が形成されると共に、少なくとも一方の脚片部の外側面に指掛け片が突設され、
取付基体に固着した前記ベース部材のネット受け部の頂面に、防鳥ネットの束状にした端縁部を接当すると共に、該ネット受け部に前記クリップ部材を外嵌し、その各掛止爪を前記ネット受け部の爪掛止部に掛止させることにより、該ネット受け部とクリップ部材のネット押さえ部との間で防鳥ネットの端縁部を挟んで保持する一方、この嵌着したクリップ部材の指掛け片に手指を掛けて引き起こすことにより、該クリップ部材をベース部材から離脱するように構成されてなる防鳥ネット取付装置。
【請求項２】
前記クリップ部材のネット押さえ部の下面側に押さえ突起が突設され、この押さえ突起によって前記防鳥ネットの端縁部を押さえるように構成されてなる請求項１に記載の防鳥ネット取付装置。
【請求項３】
前記クリップ部材の両脚片部が互いに凹側を対向するように屈曲又は湾曲してなる請求項１又は２に記載の防鳥ネット取付装置。
【請求項４】
前記クリップ部材の両脚片部の外側面に前記指掛け片が各々突設されてなる請求項１〜３のいずれかに記載の防鳥ネット取付装置。
【請求項５】
前記クリップ部材の両脚片部の下端に位置決め突片が形成され、前記ベース部材のネット受け部を挟む両側に位置決め孔を備え、該ネット受け部に外嵌したクリップ部材の各位置決め突片が前記位置決め孔に嵌入するように構成されてなる請求項１〜４のいずれかに記載の防鳥ネット取付装置。
【請求項６】
前記ベース部材がネット受け部の前記爪掛止部のない側で対向する両側面の近傍に表裏方向の貫通穴を有し、前記クリップ部材の両脚片部の下端側の両側角部が切り欠かれてなる請求項１〜５のいずれかに記載の防鳥ネット取付装置。
【発明の詳細な説明】
【技術分野】
【０００１】
本発明は、ハトやカラスを始めとする鳥類の侵入を防止するための防鳥ネットの取付装置に関する。
【背景技術】
【０００２】
近年、市街地での鳥類による被害が多発しており、特に高架橋下、看板や広告塔、電柱、建物のベランダや屋上、ビルの窓枠部、屋根付き駐車場、工場や倉庫、神社や仏閣等では、飛来したハトやカラス等が巣作りしたり、糞を撒き散らして周辺を汚すことが大きな社会問題になっている。
【０００３】
そこで、防鳥対策として、従来より、鳥が留まり易い部位や営巣し易い部位にピンを剣山状に設置する方法（特許文献１，２）、建物やベランダ等の開口部に侵入防止用のネットやワイヤーを張り巡らす方法（特許文献３，４）、鳥が留まり易い部位に沿って電撃用の通電線を配線する方法（特許文献５）等が一般的に採用されている。また、本出願人は先に、鳥留まり防止ピンの設置、防鳥ネットの張設、電撃線の配線のいずれにも共用し得る防鳥具取付装置を提案している（特許文献６）。
【０００４】
これら防鳥対策の内、特に上記提案に係る防鳥具取付装置は、取付基体に接着又はねじ止めする略板状の取付チップに、鳥留まり防止ピンの保持部と、防鳥ネットの係着部と、電撃線配線用の碍子保持部とが設けてあり、この取付チップを基本部品として対象構造物の形態や周辺状況に応じた適切な防鳥手段を選択できるから、複数種の防鳥手段間での部品共通化によって部材製造コストが低減すると共に、施工操作も容易になって施工能率が向上するという大きな利点がある。
【先行技術文献】
【特許文献】
【０００５】
【特許文献１】特開平０８−１７３００６号公報
【特許文献２】特開２００６−７５０３６号公報
【特許文献３】特開２００１−１６４６７３号公報
【特許文献４】特開２００６−３７６５０号公報
【特許文献５】特開２０１１−１０３８０６号公報
【特許文献６】特開２００８−６７６２０号公報
【発明の概要】
【発明が解決しようとする課題】
【０００６】
しかるに、上記提案に係る防鳥具取付装置によって防鳥ネットを張設する際、係着の確実性及び操作性と材料コストの面から、現状では合成樹脂製の結束バンドを使用し、防鳥ネットの端縁部を束状に巻き締めて前記係着部に止着している。この結束バンドは、片面にセレーションを設けたバンド部の一端にヘッド部が一体形成され、被結束物に巻き付けたバンド部を該ヘッド部の挿通孔に通して引き締めることにより、挿通孔内に突出した爪がセレーションに噛合してロックされるが、そのロック状態で余剰のバンド部がヘッド部から伸び出した状態になる。しかして、防鳥ネットの掛着では、その余剰のバンド部が邪魔になるので切除するが、概して余剰部分は全長（通常１５ｃｍ程度）の７割以上に及ぶため、切除によって多量のプラスチック廃材が発生する。また、防鳥ネットは殆どが屋外部に張設されるため、前記結束バンドが日光及び降雨に晒されて早期に劣化し易く、強風時にバンド部が切れたりロック部が外れたりして、防鳥ネットが飛ばされるような事態が往々にして発生していた。
【０００７】
本発明は、上述の事情に鑑みて、特に防鳥ネットの取付装置として、前記取付チップのように取付基体に接着又はねじ止めする略板状のベース部材を利用し、このベース部材に対して防鳥ネットの束状にした端縁部を簡単な操作で確実に係着でき、結束バンド使用時のようなプラスチック廃材が発生せず、且つ長期に亘って強固な取付状態を維持できる上、防鳥ネットの着脱交換を容易に行えるものを提供することを目的としている。
【課題を解決するための手段】
【０００８】
上記目的を達成するための手段を図面の参照符号を付して示せば、本発明の請求項１に係る防鳥ネット取付装置は、取付基体Ｍに接着又はねじ止めする略板状の合成樹脂製のベース部材１と、該ベース部材１の上面側に突設したネット受け部１１に嵌着させる合成樹脂製のクリップ部材２とからなり、ベース部材１のネット受け部１１は、頂面１１ａをネット接当面として、対向する両側面１１ｂ，１１ｂに爪掛止部１２を備え、クリップ部材２は、ネット押さえ部２０の両側端から一対の脚片部２１，２１が延設され、両脚片部２１，２１に互いに内向きに対向突出する掛止爪２２が形成されると共に、少なくとも一方の脚片部２１の外側面に指掛け片２３が突設され、取付基体Ｍに固着したベース部材１のネット受け部１１の頂面１１ａに、防鳥ネット３の束状にした端縁部３ａを接当すると共に、該ネット受け部１１にクリップ部材２を外嵌し、その各掛止爪２２をネット受け部１１の爪掛止部１２に掛止させることにより、該ネット受け部１１とクリップ部材２のネット押さえ部２０との間で防鳥ネット３の端縁部３ａを挟んで保持する一方、この嵌着したクリップ部材２の指掛け片２３に手指を掛けて引き起こすことにより、該クリップ部材２をベース部材１から離脱するように構成されてなる。
【０００９】
請求項２の発明は、上記請求項１の防鳥ネット取付装置において、クリップ部材２のネット押さえ部２０の下面側に押さえ突起２４が突設され、この押さえ突起２４によって防鳥ネット３の端縁部３ａを押さえるように構成されてなる。
【００１０】
請求項３の発明は、上記請求項１又は２の防鳥ネット取付装置において、クリップ部材２の両脚片部２１，２１が互いに凹側を対向するように屈曲又は湾曲してなる構成としている。
【００１１】
請求項４の発明は、上記請求項１〜３のいずれか防鳥ネット取付装置において、クリップ部材２の両脚片部２１，２１の外側面に指掛け片２３が各々突設されてなる構成としている。
【００１２】
請求項５の発明は、請求項１〜４のいずれかの防鳥ネット取付装置において、クリップ部材２の両脚片部２１，２１の下端に位置決め突片２５が形成され、ベース部材１のネット受け部１１を挟む両側に位置決め孔１３を備え、該ネット受け部１１に外嵌したクリップ部材２の各位置決め突片２５が位置決め孔１３に嵌入するように構成されてなる。
【００１３】
請求項６の発明は、請求項１〜５のいずれかの防鳥ネット取付装置において、ベース部材１がネット受け部１１の爪掛止部１２のない側で対向する両側面１１ｃ，１１ｃの近傍に表裏方向の貫通穴１４，１５を有し、クリップ部材２の両脚片部２１，２１の下端側の両側角部２１ａ，２１ａが切り欠かれてなる構成としている。
【発明の効果】
【００１４】
次に本発明の効果について、図面を参照して具体的に説明する。まず、請求項１の発明によれば、防鳥ネット３の取り付けにあたり、ベース部材１を取付基体Ｍに接着又はねじ止めし、このベース部材１のネット受け部１１の頂面１１ａに、防鳥ネット３の束状にした端縁部３ａを接当した状態で、該ネット受け部１１にクリップ部材２を外嵌するだけで、該クリップ部材２の各掛止爪２２がネット受け部１１の爪掛止部１２に掛止され、該ネット受け部１１とクリップ部材２のネット押さえ部２０との間で防鳥ネット３の端縁部３ａが挟持されるから、極めて簡単な操作で確実に係着できる上、結束バンド使用時のようなプラスチック廃材が発生せず、且つ長期に亘って強固な取付状態を維持でき、防鳥ネット３が強風に煽られて飛ばされるような事態を未然に防止できる。一方、取り付けた防鳥ネット３が長期間の使用中に劣化したり破れたりして交換を要する場合、ベース部材１のネット受け部１１に嵌着しているクリップ部材２の指掛け片２３に手指を掛けて引き起こすことにより、その引き起こし側の掛止爪２２がネット受け部１１の爪掛止部１２から外れ、該クリップ部材２を簡単にベース部材１から離脱できるから、該防鳥ネット３の着脱交換を容易に行える。
【００１５】
請求項２の発明によれば、クリップ部材２のネット押さえ部２０の下面側に突設された押さえ突起２４により、防鳥ネット３の端縁部３ａを押さえるようにしているから、防鳥ネット３の束状にした端縁部３ａのボリュームや重なり状態が様々に異なっていても、該端縁部３ａを確実に挟持できるという利点がある。
【００１６】
請求項３の発明によれば、クリップ部材２は、その両脚片部２１，２１が互いに凹側を対向するように屈曲又は湾曲しているから、防鳥ネット３の着脱交換のためにベース部材１から離脱させる際、指掛け片２３に手指を掛けて引き起こす時に該クリップ部材２の全体が弾性変形し易く、もって離脱操作がより容易になる。
【００１７】
請求項４の発明によれば、クリップ部材２の両脚片部２１，２１の外側面に指掛け片２３が各々突設されているから、防鳥ネット３の着脱交換のためにベース部材１から離脱させる際、その作業位置によって離脱操作し易い方の指掛け片２３を選択できるという利点がある。
【００１８】
請求項５の発明によれば、ベース部材１のネット受け部１１を挟む両側に設けた位置決め孔１３に、クリップ部材２の両脚片部２１，２１の先端に設けた位置決め突片２５を嵌入するようにしているから、防鳥ネット３の取り付けに際し、ベース部材１のネット受け部１１に対してクリップ部材２を位置ずれなく確実に嵌着することができ、操作性が向上するという利点がある。
【００１９】
請求項６の発明によれば、ベース部材１がネット受け部１１の爪掛止部１２のない側で対向する両側面１１ｃ，１１ｃの近傍に表裏方向の貫通穴１４，１５を有するから、該ベース部材１を取付基体Ｍに接着する場合に、貫通穴１４，１５において接着剤４をベース部材１の下面側から連続して上面側にはみ出すように盛り上げることにより、該ベース部材１を強固に固着できる一方、クリップ部材２の両脚片部２１，２１の下端側の両側角部２１ａ，２１ａが切り欠かれているから、該両脚片部２１，２１が接着剤４の盛り上げ部分に当たってクリップ部材２の嵌着に支障をきたすことを回避できる。
【図面の簡単な説明】
【００２０】
【図１】本発明の一実施形態に係る防鳥ネット取付装置におけるベース部材の斜視図である。
【図２】同ベース部材を示し、（ａ）は図１のＡ−Ａ線の断面矢視図、（ｂ）は図１のＢ−Ｂ線の断面矢視図である。
【図３】同取付装置におけるクリップ部材の斜視図である。
【図４】同クリップ部材を示し、（ａ）は図３のＣ−Ｃ線の断面矢視図、（ｂ）は図３のＤ−Ｄ線の断面矢視図である。
【図５】同ベース部材を取付基体に接着した状態を示す横断平面図である。
【図６】同取付装置による防鳥ネットの取付操作を示す縦断側面図である。
【図７】同取付装置による防鳥ネットの取付状態を示す縦断側面図である。
【図８】同取付装置による防鳥ネットの取付状態を示す正面図である。
【図９】同防鳥ネットの取付状態におけるベース部材からクリップ部材を離脱させる操作を示す縦断側面図である。
【図１０】同ベース部材を取付基体にねじ止めした状態を示す横断平面図である。
【発明を実施するための最良の形態】
【００２１】
以下、本発明に係る防鳥ネット取付装置の実施形態について、図面を参照して具体的に説明する。この実施形態の防鳥ネット取付装置は、図１及び図２で示すベース部材１と、図３及び図４で示すクリップ部材２とで構成されるが、ベース部材１は剣山状の防鳥具や防鳥用電撃線の配線支持部にも兼用できるものとしている。
【００２２】
ベース部材１は、図１及び図２（ａ）（ｂ）に示すように、全体がポリカーボネート等の耐候性及び耐光性に優れた硬質合成樹脂成形物からなり、正方形の板状基部１０と、その上面中央に突設された台枠状のネット受け部１１と、該板状基部１０の上面左右両側に立ち上げ形成された一対の碍子保持枠１７，１７とで構成されている。そして、板状基部１０には、ネット受け部１１と両側の碍子保持枠１７，１７との各々の間に、前後方向中央に位置する円形の貫通穴１４と、その両側に配置する略矩形の貫通穴１５，１５とが形成されている。
【００２３】
ネット受け部１１は、頂面１１ａが正方形で、前後方向に対向する両側面１１ｂ，１１ｂの開口部によって爪掛止部１２を構成すると共に、内側が板状基部１０の底面側に開口している。また、各碍子保持枠１７は、板状基部１０の側辺に沿う壁状で、その前後両側の頂部に内向きの張出片１７ａ，１７ａを有している。しかして、貫通穴１４はネット受け部１１の左右方向に対向する両側面１１ｃ，１１ｃの外側に配置すると共に、各貫通穴１５は碍子保持枠１７の各張出片１７ａの真下に位置している。
【００２４】
更に、板状基部１０の左右方向中央側が膨出部１０ａ，１０ａによって厚肉化すると共に、両膨出部１０ａ，１０ａにはネット受け部１１の爪掛止部１２の中央に臨んで位置決め孔１３が形成されている。なお、各位置決め孔１３は、板状基部１０の上面側では前後方向に沿う長孔として開口すると共に、同下面側では丸孔として開口している。
【００２５】
このベース部材１の通常のサイズは、板状基部１０の一辺が２０〜５０ｍｍ程度、該板状基部１０の膨出部１０ａ以外の厚みが１〜３ｍｍ程度、ネット受け部１１及び碍子保持枠１７の板状基部１０下面からの高さが５〜１０ｍｍ程度、にそれぞれ設定される。
【００２６】
クリップ部材２は、図３及び図４（ａ）（ｂ）に示すように、全体がベース部材１と同様にポリカーボネート等の耐候性及び耐光性に優れた硬質ないし半硬質の合成樹脂成形物からなり、矩形平板状のネット押さえ部２０の両側端から一対の脚片部２１，２１が延設して略コ字枠状をなすと共に、両脚片部２１，２１の外面側に、各々同幅でネット押さえ部２０の面方向に沿って張出する指掛け片２３，２３が一体形成されている。
【００２７】
そして、該クリップ部材２のネット押さえ部２０の内面側中央には、四角錐状の押さえ突起２４が下向きに突設されている。また、両脚片部２１，２１は、互いに凹側を対向する形でくの字状に屈曲しており、各々の下端中央に互いに内向きに対向突出する掛止爪２２が形成されると共に、該掛止爪２２の背方側中央に下向きの位置決め突片２５が設けられている。更に、各脚片部２１の下端左右の両角部２１ａ，２１ａは、斜めに切り欠かれている。
【００２８】
なお、クリップ部材２は、両脚片部２１，２１の下部内面側の間隔がベース部材１のネット受け部１１の前後幅よりも僅かに広く、且つ両爪掛止部１２，１２の先端の間隔が該ネット受け部１１の前後幅よりも狭く設定されている。そして、各掛止爪２２は、平面部２２ａと斜め下向きの傾斜面部２２ｂとの間で側面視楔状をなしている。また、位置決め突片２５は偏平先細の形状であり、両位置決め突片２５，２５の間隔がベース部材１の両位置決め孔１３，１３の間隔に対応している。
【００２９】
このような防鳥ネット取付装置を使用するには、まず図５に示すように、鳥の侵入を阻止すべき開口部周囲の取付基体Ｍの要所に、ベース部材１をその前後方向が上下方向に沿う配置、つまりネット受け部１１の爪掛止部１２，１２が上下になる配置で接着剤４によって固着する。このとき、ベース部材１の底面の左右方向中央部には予め両面接着テープ５を貼着し、ネット受け部１１及び両位置決め孔１３，１３の底面側開口部を塞ぐことにより、接着剤４が該ネット受け部１１及び両位置決め孔１３，１３の内側へ入り込むのを防止する。しかして、該ベース部材１の計６か所の貫通穴１４，１５では、接着剤４が板状基部１０の下面側から連続して上面側にはみ出すように盛り上げることで、その部分でのアンカー作用によって固着強度が格段に増大する。
【００３０】
かくして取付基体Ｍにベース部材１を固着後、図６に示すように、該ベース部材１のネット受け部１１の頂面１１ａに、防鳥ネット３の束状にした端縁部３ａを当てがい、その上からクリップ部材２を両脚片部２１，２１が上下に配置する姿勢で、該ネット受け部１１の外側に材料弾性を利用して強制的に圧嵌し、図７に示すように、該クリップ部材２の両掛止爪２２，２２をネット受け部１１の爪掛止部１２，１２に掛合させる。
【００３１】
上記操作により、防鳥ネット３は、図６でも示すように、その束状にした端縁部３ａがベース部材１のネット受け部１１とこれに嵌着したクリップ部材２との間に挿通して離脱不能になると共に、該端縁部３ａの束がクリップ部材２の押さえ突起２４の先端で押さえ付けられて横ずれや緩みを生じない状態になる。
【００３２】
そして、上記操作では、クリップ部材２の両位置決め突片２５，２５をベース部材１の両位置決め孔１３，１３に合わせて嵌入させることで、クリップ部材２をベース部材１のネット受け部１１に対して位置ずれなく確実に嵌着でき、それだけ操作性が向上する。また、クリップ部材２は、両掛止爪２２，２２の傾斜面部２２ｂ、２２ｂが対向配置しているから、ベース部材１のネット受け部１１に圧嵌させる際、該ネット受け部１１の頂部両側の側縁と両傾斜面部２２ｂ、２２ｂとの接触による傾斜誘導作用により、両脚片部２１，２１が互いに開くように弾性変形し、もって容易に嵌着させることができる。
【００３３】
なお、防鳥ネット３の端縁部３ａの束状形態は、図６及び図７に示すような巻き込み形態に限らず、適当に折り重ねたり、一定幅の部分を単に寄せ合わせる等、特に制約されない。例えば、図６〜図８に例示するような横線部３１と縦線部３２からなる防鳥ネット３では、その端縁方向に沿う横線部３１の複数本が合わさる状態とすればよい。
【００３４】
しかして、図６〜図８では、防鳥ネット取付装置によって防鳥ネット３の上縁側を止着しているが、該防鳥ネット３の下縁側についても同様にして止着できることは言うまでもない。また、防鳥ネット３の左右の側縁側を止着する場合、取付基体Ｍに対してベース部材１を既述の前後方向が左右方向に沿う姿勢で固着すればよい。
【００３５】
また、取付基体Ｍに対してベース部材１を接着剤４によって固着する際、既述のように該接着剤４をベース部材１の下面側から連続して上面側にはみ出すように盛り上げることで、当該ベース部材１は固着強度が増大して剥落しにくくなる一方、クリップ部材２は両脚片部２１，２１の下端側の両側角部２１ａ，２１ａが切り欠かれているから、該両脚片部２１，２１が接着剤４の盛り上げ部分に当たって当該クリップ部材２のネット受け部１１への嵌着に支障をきたすことを回避できる。
【００３６】
一方、上述のようにして取り付けた防鳥ネット３が長期間の使用中に劣化したり破れたりして交換を要する場合は、図９に示すように、ベース部材１のネット受け部１１に嵌着しているクリップ部材２の一方の指掛け片２３に手指を掛けて引き起こせば、その引き起こし側の掛止爪２２がネット受け部１１の爪掛止部１２から外れ、該クリップ部材２を簡単にベース部材１から離脱できるから、該防鳥ネット３の着脱交換を容易に行える。
【００３７】
しかして、特に実施形態のクリップ部材２では、その両脚片部２１，２１が互いに凹側を対向するようにくの字状に屈曲しているから、上述の如く指掛け片２３に手指を掛けて引き起こす時に該クリップ部材２の全体が弾性変形し易く、これによって離脱操作がより容易になる。また、実施形態のクリップ部材２ではの両脚片部２１，２１の外側面に指掛け片２３が各々突設されているから、防鳥ネット３の着脱交換のためにベース部材１から離脱させる際、その作業位置によって離脱操作し易い方の指掛け片２３を選択できるという利点がある。
【００３８】
一方、取付基体Ｍが木質である場合、図１０で示すように、ベース部材１は貫通穴１４，１４を利用して木ねじ６，６によって固着することもできる。更に、ベース部材１の下面側に予め剥離紙付きの両面接着テープを貼着しておけば、その剥離紙を剥離して該両面接着テープの粘着力で取付基体Ｍに仮着することで、木ねじ６による本固着作業の際にベース部材１が不用意に落下するのを防止でき、その固着操作が非常に容易になる。
【００３９】
本発明の防鳥ネット取付装置におけるクリップ部材２としては、実施形態で例示した押さえ突起２４や位置決め突片２５を有しないものも使用できる。押さえ突起２４のないクリップ部材２では、そのネット押さえ部２０とベース部材１のネット受け部１１の頂面１１ａとの間で防鳥ネット３の端縁部３ａを挟着すればよい。ただし、押さえ突起２４を有する構成では、該クリップ部材２をベース部材１のネット受け部１１に嵌着した状態で、防鳥ネット３の端縁部３ａを挿通させる空間が大きくなるため、防鳥ネット３の該端縁部３ａのボリュームや重なり状態が様々に異なっていても、その空間内に該端縁部３ａを無理なく挿通させて確実に挟持できるという利点がある。
【００４０】
また、本発明においては、クリップ部材２をベース部材１から離脱させる際の弾性変形を生じ易くする上で、該クリップ部材２の両脚片部２１，２１は、例示したくの字状の屈曲に限らず、多段階に屈曲した形や、全体的又は部分的に湾曲した形でもよく、その屈曲や湾曲の凹側が互いに対向する配置とすればよい。更に本発明では、指掛け片２３を片側の脚片部２１のみに設けたものも使用可能であることは言うまでもない。
【００４１】
一方、ベース部材１としては、実施形態では剣山状の防鳥具や防鳥用電撃線の配線支持部にも兼用できるものを例示したが、本発明においては防鳥ネット取付けに専用の形態つまり左右両側の碍子保持枠１７，１７を有しない形態でもよいことは言うまでもない。また、ネット受け部１１は、実施形態では台枠状として両側面１１ｂ，１１ｂの開口部によって爪掛止部１２を構成しているが、該爪掛止部１２をクリップ部材２の掛止爪２２に掛合する凹陥部によって構成してもよい。
【００４２】
なお、実施形態で用いたベース部材１を剣山状の防鳥具に利用する場合は、Ｖ字状に屈曲した金属線材を位置決め孔１３，１３に下方から挿入し、Ｖ字形で起立させることになる。また、同ベース部材１を防鳥用電撃線の配線支持部に利用する場合は、碍子保持枠１７，１７間に電撃線を支持する碍子部材をスライド嵌合して保持させることになる。しかして、これらの他の用途に利用する場合の具体的構成については、本出願人の先願に係る特開２００８−６７６２０号公報に詳細な開示がある。
【００４３】
本発明の防鳥ネット取付装置は、ベース部材１におけるネット受け部１１の形態、貫通穴１４，１５の形状及び数と配置、クリップ部材２における両脚片部２１，２１、掛止爪２２、指掛け片２３、押さえ突起２４及び位置決め突片２５の形状等、細部構成については実施形態以外に種々設計変更可能である。また、適用する防鳥ネット３の網目形態や網目の大きさにも制約はない。
【符号の説明】
【００４４】
１              ベース部材
１１            ネット受け部
１１ａ          頂面
１１ｂ，１１ｃ  側面
１２            爪掛止部
１３            位置決め孔
１４，１５      貫通穴
２              クリップ部材
２０            ネット押さえ部
２１            脚片部
２１ａ          角部
２２            掛止爪
２３            指掛け片
２４            押さえ突起
２５            位置決め突片
３              防鳥ネット
３ａ            端縁部
４              接着剤
６              木ねじ
Ｍ              取付基体
【図１】
2013247866.tif 000003
【図２】
2013247866.tif 000004
【図３】
2013247866.tif 000005
【図４】
2013247866.tif 000006
【図５】
2013247866.tif 000007
【図６】
2013247866.tif 000008
【図７】
2013247866.tif 000009
【図８】
2013247866.tif 000010
【図９】
2013247866.tif 000011
【図１０】
2013247866.tif 000012